(57)【特許請求の範囲】
【請求項１】
鋼板製の表部材と、前記表部材に一体化された、鋼板製の裏部材と、前記表部材と前記裏部材との間に形成された空間とを有する、鋼板製フロアパネルにおいて、前記裏部材の前記表部材に対する接触部に、前記表部材とは反対方向に突出した壁部によって画成されたカシメ孔を形成し、前記表部材に突出形成されたカシメ突起を前記カシメ孔に挿入し、前記カシメ突起の前記壁部から突出した先端部分に前記カシメ孔よりも大径の変形部分を形成し、前記変形部分を前記壁部の端面に圧接させて前記表部材と前記裏部材を一体化したことを特徴とする、鋼板製フロアパネル。
【請求項２】
鋼板製の表部材と、前記表部材に一体化された、鋼板製の裏部材と、前記表部材と前記裏部材との間に形成された空間とを有する、鋼板製フロアパネルにおいて、前記表部材の前記裏部材に対する接触部に、前記表部材の方向に突出した壁部によって画成されたカシメ孔を形成し、前記裏部材に突出形成されたカシメ突起を前記カシメ孔に挿入し、前記カシメ突起の前記壁部から突出した先端部分に前記カシメ孔よりも大径の変形部分を形成し、前記変形部分を前記壁部の端面に圧接させて前記裏部材と前記表部材を一体化したことを特徴とする、鋼板製フロアパネル。
【請求項３】
請求項１又は２に記載の鋼板製フロアパネルにおいて、前記表部材と前記裏部材との前記接触部に、該表部材の周縁部と該裏部材の周縁部との接触箇所を含み、該接触箇所において前記カシメ結合部を構成してなる、前記鋼板製フロアパネル。
【請求項４】
請求項１ないし３のうちのいずれか一項に記載の鋼板製フロアパネルにおいて、前記変形部分の端面に一つ又は複数個の押圧部を形成してなる、前記鋼板製フロアパネル。
【請求項５】
請求項４に記載の鋼板製フロアパネルにおいて、前記押圧部を前記変形部分の端面の中央部に一つ形成してなる、前記鋼板製フロアパネル。
【請求項６】
請求項４に記載の鋼板製フロアパネルにおいて、前記押圧部を前記変形部分の端面に一定間隔をおいて放射状に形成してなる、前記鋼板製フロアパネル。
【請求項７】
請求項１ないし６のうちのいずれか一項に記載の鋼板製フロアパネルにおいて、前記表部材と前記裏部材との間に形成された前記空間に充填材を満たしてなる、前記鋼板製フロアパネル。
【発明の詳細な説明】
【０００１】
【産業上の利用分野】
本発明は、支持脚によって支持された状態で建築物の床面の上方に敷設され、床面上に二重床を構成する、鋼板製フロアパネルに関するものである。
【０００２】
【従来の技術】
鋼板製フロアパネルは、従来から、一般に、プレス成形された鋼板製の表部材と裏部材とを溶接、リベット止め、はぜ折り、かしめ等の連結手段によって一体化し、内部に充填材を満たして構成されている。例えば、実開平１−１７９９４２号には、上面板と裏面板とを、それらの周縁部と、裏面板に形成した複数のドーム状突起の頂部と上面板の裏面とで接触させ、これらの接触部に通常のカシメ加工を施して両者を接合した金属製床パネルが開示されている。また、特開平８−６８１８８号には、上面板と下面板との接触部において、両板を密着させた状態で一方に押し出し加工することによって凸状の重合部を形成し、この重合部の先端部の周縁に押圧溝を形成して局部的な張り出し部を形成し、両板を一体化したフリーアクセス床板の結合構造が開示されている。そして、実開平６−１０４８０号には、フリーアクセスフロア用パネルの上面部材又は下面部材の一方に結合用穴又は凹部を形成し、この結合用穴又は凹部に対応する下面部材の部位を加工して結合用凸部を形成し、この結合用凸部を結合用穴又は凹部に嵌入させた状態で凸部の頭部を圧潰して上、下面部材を一体化させた、フリーアクセスフロア用のパネルが開示されている。
【０００３】
【発明が解決しようとする課題】
上述した従来のカシメ結合構造は、いずれも、これらの出願前から一般に使用されているカシメ加工をフロアパネルの上面板と下面板との結合に利用したものであるから、これらのカシメ加工によって得られる結合強度は従来のカシメ結合強度を上回るものではない。
【０００４】
本発明の目的は、結合すべき部材の結合強度が高く、結合部自体が変形しにくい構造を有するカシメ結合により、表部材と裏部材を接合してなる鋼板製フロアパネルを提供することにある。
【０００５】
【課題を解決するための手段】
本発明の鋼板製フロアパネルは、鋼板製の表部材と、前記表部材に一体化された、鋼板製の裏部材と、前記表部材と前記裏部材との間に形成された空間とを有する、鋼板製フロアパネルにおいて、前記裏部材の前記表部材に対する接触部に、前記表部材とは反対の方向に突出した壁部によって画成されたカシメ孔を形成し、前記表部材に突出形成されたカシメ突起を前記カシメ孔に挿入し、前記カシメ突起の前記壁部から突出した先端部分に前記カシメ孔よりも大径の変形部分を形成し、前記変形部分を前記壁部の端面に圧接させて前記表部材と前記裏部材を一体化したことを特徴とする。このような構成の鋼板製フロアパネルによれば、カシメ結合部はカシメ孔を画成する壁部とこの壁部の端面に圧接した変形部分とを有し、この変形部分は壁面の端面に対して二重に屈曲した係合部分を有するから、高い結合強度を有する。また、カシメ孔を画成する壁部はカシメ孔の周囲に強度を付加するリブ構造を構成するから、カシメ孔の変形が防止され、カシメ結合部における結合強度を向上させると共にフロアパネルの強度を向上させる。
【０００６】
なお、カシメ孔は、裏部材に形成することもでき、さらには、表部材の周縁部又は裏部材の周縁部にも形成することができる。
【０００７】
また、変形部分の端面に一つ又は複数個の押圧部を形成することにより、変形部分の強度を更に向上させることができる。この押圧部は、変形部分の端面の中央部に一つ形成することもできるし、複数個の押圧部を変形部分の端面に一定間隔をおいて放射状に形成することもできる。
【０００８】
鋼板製フロアパネルの表部材と裏部材との間に形成された空間に充填材を満たすことにより、鋼板製フロアパネルの耐荷重強度を大幅に向上させることができる。
【０００９】
【発明の実施の形態】
以下、本発明の実施例を図面を参照して説明する。
【００１０】
第１図ないし第５図は本発明の一つの実施例である鋼板製フロアパネルの全体構成を示す。この鋼板製フロアパネル１は、所定厚の鋼板をプレス成形することによって形成した、全体として方形の表部材２と、この表部材２と整合するような形状にプレス成形された鋼板製の裏部材３とを有する。
【００１１】
表部材２の上面２ａには、その全面に亙ってカシメ用の凹所２ｃが複数個形成され、また、その四辺には表部材２を裏部材３に締結させるためのはぜ折り部２ｄが間隔をおいて適当数形成されている。更に、はぜ折り部２ｄに隣接した位置には、裏部材３の方向に垂下する当接板２ｅが各辺について２枚又は３枚ずつ表部材３に一体形成されている。これらの当接板２ｅは、フロアパネル１の敷設時に、隣接するフロアパネルの対応する当接板（図示せず。）に当接させることにより、既に敷設されたフロアパネルに対して新たに敷設するフロアパネルを位置決めするために使用される。
【００１２】
表部材２の四隅部には、また、ほぼ四分円形をした段差部２ｆが形成されている。これらの段差部２ｆは、フロアパネル１を支持脚（図示せず。）に固定するためのパネル押さえ（図示せず。）が係合するように、湾曲した形状を有する。各段差部２ｆには、また、小さなはぜ折り部２ｇが形成され、これらのはぜ折り部２ｇによって表部材２と裏部材３は締結される。
【００１３】
表部材２と裏部材３の四辺のうちの一対の辺には、それぞれ、凹状部４ａが形成され、これらの凹状部４ａは表部材２と裏部材３との締結時にそれぞれ整合して、フロアパネル１の一対の辺にそれぞれ配線引き出し用の開口部４を画成する。開口部４の三辺には段差部４ｂが形成され、表部材２に形成され、かつ、これらの段差部４ｂの裏側に折り返された、はぜ折り部２ｄ、２ｄ、２ｄは、表部材２と裏部材３との締結に使用されると共に、開口部４の周縁部を補強する。なお、第５図中、段差部４ｂの一対の小孔４ｃは、開口部４を閉塞するための蓋体（図示せず。）の裏面の突起（図示せず。）と係合して、段差部４ｂに蓋体を係止するために形成されている。
【００１４】
裏部材３には、プレス成形によって、複数種類の補強用リブからなるリブ構造が形成されている。このリブ構造は、裏部材３の辺縁に沿って連続的に延在する周縁リブ５を有し、この周縁リブ５はフロアパネル１の各辺の中央部で内方へ湾曲した湾曲部５ａをそれぞれ有する。湾曲部５ａは、フロアパネル１の一対の辺縁においてはフロアパネル１の開口部４との干渉を避けつつ連続するために設けられ、また、他の一対の辺縁においてはフロアパネル１の強度の対称性を得るために形成されている。このような湾曲部５ａをも含めて、周縁リブ５はフロアパネル１の辺縁に沿って、途切れることなく、連続的に延在する。
【００１５】
裏部材３には、また、フロアパネル１の対角線方向に延在する対角リブ６、７が形成され、対角リブ６、７は、裏部材３の中央部に形成された中央リブ８を介して、連続的に延在する。中央リブ８は裏部材３の周縁リブ５の内側に形成され、裏部材３の中央部において全体として方形をなすように連続的に延在する。周縁リブ５と対角リブ６、７と中央リブ８は互いに同一の高さで延在する。この実施例では中央リブ８が形成されているが、中央リブ８は必ずしも形成する必要はない。中央リブ８を設けることにより、フロアパネル１の中央部の強度を大幅に向上させることができる。
【００１６】
周縁リブ５と対角リブ６、７と中央リブ８の間には中間リブ９が形成され、中間リブ９はリブ５、６、７、８よりも低い位置に延在する。中間リブ９はリブ５、６、７、８を連結し、かつ、それ自身も連続的に延在する。中間リブ９の両側には表部材２の裏面に当接する凹部１０がそれぞれ形成されている。各凹部１０の底面の中央部にはカシメ孔１８（図６、図７等参照）が形成されている。
【００１７】
中央部に位置する一対の凹部１０、１０の間には低位リブ１１が形成されている。低位リブ１１は、周縁リブ５の湾曲部５ａと中央リブ８とを連結すると共に、これらの一対の凹部１０、１０の側壁を連結し、それ自身も連続的に延在する。低位リブ１１は中間リブ９よりも更に低位に形成され、他のリブ５、６、７、８、９との関係は第４図に示す通りである。すなわち、同図に示されている通り、中間リブ９は、周縁リブ５、５ａ、対角リブ６、７、中央リブ８から距離ｌだけ低い位置に形成され、また、低位リブ１１は距離ｌよりも大きな距離ｍだけ低い位置に形成されている。
【００１８】
中央リブ８の中心には中心リブ１２が形成され、中心リブ１２は中央リブ８から距離ｎだけ低い位置に形成されている。中心リブ１２はそれを囲繞する中央リブ８に連続し、更に、中心リブ１２自身も切れ目なく連続する。中心リブ１２の四隅部には表部材２の裏面に当接する４つの凹部１３が形成され、凹部１３は凹部１０と同様に平坦な底面を有する。凹部１０、１３は、表部材２と裏部材３との接合時に、表部材２の裏面に当接して荷重を支持するための柱を構成するから、より大きな荷重を支持するためには凹部１０、１３の側壁の傾斜角度は、凹部の底面の法線に対して出来るだけ鋭角に傾斜することが好ましい。その理由は、凹部の耐荷重性能を向上させると共に、表部材２と裏部材３の間に形成された空間に充填材を満たし、これを固化させたとき、凹部１０、１３の側壁の傾斜角度が凹部の底面の法線に対して大きな角度であるほど、凹部１０、１３の周囲に充填材の薄肉部が生成され、これによって強度低下を生じる可能性があるからである。このような薄肉部の生成を防止するため、凹部１０、１３の側壁の傾斜角度を、凹部の底面の法線に対して出来るだけ鋭角にすることが好ましい。
【００１９】
さて、表部材２と裏部材３とを一体化するカシメ結合について説明する。
【００２０】
表部材２と裏部材３とを一体化するには、先ず、表部材２と裏部材３を位置合わせし、表部材２の裏面に裏部材３の凹部１０、１３を当接させる。次いで、プレス加工により、表部材２と裏部材３とを凹部１０、１３でカシメ加工してカシメ部１４を形成し、フロアパネル１の周縁部においても同様にカシメ加工を施してカシメ部１５を形成する。これらのカシメ部１４、１５による結合の外に、表部材２と裏部材３とは、フロアパネル１の周縁部において、表部材２のはぜ折り部２ｄを裏部材３に沿って折り曲げることによっても結合されている。これらのカシメ加工及びハゼ折り加工は同時に行うこともできるし、複数工程に分けて行うこともできる。
【００２１】
第６図は第１図のＤ−Ｄ線に沿った断面を示し、この図にはフロアパネル１の周縁部におけるカシメ部１５が示されている。また、第７図は第１図のＥ−Ｅ線に沿った断面を示し、この図にはフロアパネル１の表部材２と裏部材３の凹部１０、１３とのカシメ部１４が示されている。カシメ部１４、１５は同一の構造を有し、いずれのカシメ部１４、１５も、次のような構成を有する。すなわち、裏部材３の表部材２に対する接触部１６にバーリング加工を施し、これにより表部材２とは反対の方向へ突出した円筒状の壁部１７を形成すると共に、この壁部１７によってカシメ孔１８を画成する。また、表部材２のカシメ孔１８に対応する位置には円筒絞り加工により裏部材３方向に突出したカシメ突起１９を形成し、このカシメ突起１９をカシメ孔１８に嵌入させた状態で表部材２と裏部材３を重ね合わせる。この状態で、カシメ突起１９の先端部分はカシメ孔１８の壁部１７から突出しているから、この先端部分を押圧して変形部分１９ａを形成する。変形部分１９ａはその周縁部が二重に折り畳まれ、全体として円盤状をなす。変形部分１９ａはその二重に折り畳まれた周縁部を、壁部１７を押し潰さない状態で、壁部１７の端面に圧接させている。これにより、表部材２と裏部材３は強固に締結される。
【００２２】
第８図及び第９図はカシメ部１４の変形態様を示し、このカシメ部１４の変形部分１４Ａには放射方向に複数個の押圧部１４ｂが形成されている。この押圧部１４ｂを形成することにより、変形部分１４Ａの強度を向上させることができるから、カシメ部１４の締結強度を向上させることができる。
【００２３】
第１０図及び第１１図はカシメ部１４の更に他の変形態様を示し、このカシメ部１４の変形部分１４Ｃの中央部には単一の押圧部１４Ｂが形成されている。この押圧部１４Ｂを形成することにより、変形部分１４Ｃの強度を向上させることができるから、カシメ部１４の締結強度を向上させることができる。
【００２４】
第１２図ないし第１４図に示す実施例は、裏部材３に形成されたカシメ用の凹部１０の底部１０ａに補強用のリブ１０ｂ、１０ｃを形成し、底部１０ａの強度を向上させた実施例である。補強用のリブ１０ｂ、１０ｃはカシメ部１４を挟んでその両側に形成され、補強用のリブ１０ｂ、１０ｃと表部材２との間には空隙１０ｄが画成されている。補強用のリブ１０ｂ、１０ｃを形成することにより、カシメ部１４を形成した底部１０ａの強度が向上するから、カシメ部１４の締結強度を増大させることができる。表部材２と裏部材３の間の空間に充填材Ｆを充填すれば、フロアパネル１の強度を更に向上させることができる。
【００２５】
第１５図及び第１６図はカシメ部の更に他の変更態様を示し、このカシメ部１４０の特徴は次の事項にある。表部材２の裏部材３に対する接触部１６０にバーリング加工を施し、裏部材３とは反対の方向に突出した壁部１７０を形成する。壁部１７０は中央にカシメ孔１８０を画成し、その周囲に環状の溝２００を有する。環状の溝２００は表部材２にバーリング加工を施すときに同時に成形しても良いし、バーリング加工の前工程又は後工程として加工してもよい。他方、裏部材３の凹部９の底部には円筒絞り加工によりカシメ突起１９０を形成する。このカシメ突起１９０は表部材２の方向へ突出し、表部材２と裏部材３とを重ね合わせたときに、カシメ突起１９０がカシメ孔１８０に嵌入する位置に形成される。裏部材３のカシメ突起１９０の周囲には表部材２の環状の溝２００に嵌合する形状を有する環状の溝２１０が形成され、カシメ突起１９０をカシメ孔１８０に嵌入したとき、環状の溝２１０の内部に環状の溝２００が嵌合するように構成されている。この状態において、カシメ突起１９０の先端部分はカシメ孔１８０の壁部１７０から突出しているから、この先端部分を押圧して変形部分１９０ａを形成する。変形部分１９０ａはその周縁部が二重に折り畳まれ、全体として円盤状をなす。変形部分１９０ａはその二重に折り畳まれた周縁部を、壁部１７０を押し潰さない状態で、壁部１７０の端面に圧接させている。これにより、表部材２と裏部材３は強固に締結される。そして、このとき変形部分１９０ａの表面と表部材２の表面とは面一になるように構成される。
【００２６】
第１７図及び第１８図は、第１５図及び第１６図に示したカシメ部１４０の変形態様を示し、このカシメ部１４０の変形部分１９０ａには放射方向に複数個の押圧部１９０ｂが形成されている。この押圧部１９０ｂを形成することにより、変形部分１９０ａの強度を向上させることができるから、カシメ部１４０の締結強度を向上させることができる。なお、放射方向に配置された押圧部１９０ｂの代わりに、第１０図及び第１１図に示したような単一の押圧部を形成することもできる。
【００２７】
なお、第１３図に示すように、凹部１０の底面１０ａの法線Ｎに対する凹部１０の側壁１０ｅの傾斜角度αは出来るだけ鋭角であることが望ましい。その理由は、前述の通り、表部材２と裏部材３の間に形成された空間に充填材を満たし、これを固化させたとき、凹部１０の側壁１０ｅの傾斜角度αが凹部１０の底面１０ａの法線Ｎに対して大きな角度であるほど、凹部１０の周囲に充填材の薄肉部が生成され、これによって強度低下を生じる可能性があるからである。
【００２８】
また、凹部１０に形成した補強用のリブ１０ｂ、１０ｃと同様のリブを、凹部１３の底部に形成することもできる。
【００２９】
そして、フロアパネル１の裏部材３の四隅部にそれぞれ突起Ｐを設け、また、表部材２の対応する箇所にこれらの突起Ｐに係合する凹所Ｑを形成すると、工場からの出荷時等にフロアパネル１を積み重ねる場合に積み重ねたフロアパネル１が互いにずれることを防止することができる。
【００３０】
【発明の効果】
本発明の鋼板製フロアパネルによれば、表部材と裏部材とを締結するためのカシメ結合部は、カシメ孔を画成する壁部と、この壁部の端面に圧接した変形部分とを有し、この変形部分は壁面の端面に対して二重に屈曲した係合部分を有するから、高い結合強度を有する。また、カシメ孔を画成する壁部はカシメ孔の周囲に強度を付加するリブ構造を構成するから、カシメ孔の変形が防止され、カシメ結合部における結合強度を向上させることができると共にフロアパネルの強度を向上させることができる。
【００３１】
また、変形部分の端面に一つ又は複数個の押圧部を形成することにより、変形部分の強度を更に向上させることができる。これにより、カシメ結合強度を更に向上させることができる。
【００３２】
そして、鋼板製フロアパネルの表部材と裏部材との間に形成された空間に充填材を満たすことにより、鋼板製フロアパネルの耐荷重強度を大幅に向上させることができる。
【図面の簡単な説明】
【図１】  本発明のフロアパネルの一実施例の裏面図である。
【図２】  図１のフロアパネルの右側面図である。
【図３】  図１のフロアパネルを下方から見た側面図である。
【図４】  図１のフロアパネルのＡ−Ａ線に沿う断面図である。
【図５】  図１のフロアパネルの半上面図である。
【図６】  図１のＤ−Ｄ線に沿う断面図である。
【図７】  図１のＥ−Ｅ線に沿う断面図である。
【図８】  カシメ結合部の他の実施態様の断面図である。
【図９】  図８の平面図である。
【図１０】  カシメ結合部の更に他の実施態様の断面図である。
【図１１】  図１０の平面図である。
【図１２】  本発明のフロアパネルの凹部の変更態様を表す平面図である。
【図１３】  図１２のＢ−Ｂ線に沿う断面図である。
【図１４】  図１３のＣ−Ｃ線に沿う断面図である。
【図１５】  カシメ結合部の更に他の実施態様の断面図である。
【図１６】  図１５の平面図である。
【図１７】  図１５のカシメ結合部の変更態様の断面図である。
【図１８】  図１７のカシメ結合部の平面図である。
【符号の説明】
１  フロアパネル
２  上部材
２ｄ  はぜ折り部
３  下部材
４  配線引き出し用の開口部
５  周縁リブ
５ａ  周縁リブの湾曲部
６、７  対角リブ
８  中央リブ
９  中間リブ
１０  凹部
１１  低位リブ
１２  中心リブ
１３  凹部
１４、１５、１４０  カシメ部
１４Ａ、１９０ａ  変形部分
１４ｂ、１４Ｂ、１９０ｂ  押圧部
１６、１６０  接触部
１７、１７０  壁部
１８、１８０  カシメ孔
１９、１９０  カシメ突起
２００、２１０  環状の溝
【図１】
0003762521.tif 000002
【図２】
0003762521.tif 000003
【図３】
0003762521.tif 000004
【図４】
0003762521.tif 000005
【図５】
0003762521.tif 000006
【図６】
0003762521.tif 000007
【図７】
0003762521.tif 000008
【図８】
0003762521.tif 000009
【図９】
0003762521.tif 000010
【図１０】
0003762521.tif 000011
【図１１】
0003762521.tif 000012
【図１２】
0003762521.tif 000013
【図１３】
0003762521.tif 000014
【図１４】
0003762521.tif 000015
【図１５】
0003762521.tif 000016
【図１６】
0003762521.tif 000017
【図１７】
0003762521.tif 000018
【図１８】
0003762521.tif 000019